(57)【要約】【解決手段】底板１と上枠２との間の周壁において展開状態Ｐでは左右両折畳み側板７，８と前後両支持側板５，６とを周方向へ交互に並設している。ダンボ−ルにより成形された左右両折畳み側板７，８の上下両区画板部１０，１１は中間折曲部１２により互いにつながれている。上側区画板部１０は上枠２に端折曲部１３で着脱可能に連結されている。下側区画板部１１は底板１に端折曲部１５で着脱可能に連結されている。前後両支持側板５，６は上枠２に回動可能に支持されている。周壁の折畳み状態では、左右両折畳み側板７，８の上下両区画板部１０，１１が中間折曲部１２で折り曲げられて底板１上に重ねられるとともに、前後両支持側板５，６及び上枠２が左右両折畳み側板７，８上に重ねられる。【効果】周壁で左右両折畳み側板７，８の着脱が行い易くなり、ダンボールの再使用や左右両折畳み側板７，８の交換が容易になる。【選択図】図２
2008155983.tif 000002
【特許請求の範囲】
【請求項１】
高分子材料またはダンボールにより成形された底板の外周に設けた周壁において展開状態では、複数の側板を周方向へ並設してその並設状態を固定部材により保持し、この各側板のうち一部または全部の側板を構成する折畳み側板は、ダンボールにより成形され、上下方向へ並設した複数の区画板部のうち、上下方向で互いに隣接する上下両区画板部間に中間折曲部を有するとともに、最上区画板部の上縁部と最下区画板部の下縁部とにそれぞれ端折曲部を有し、その端折曲部で底板及び固定部材に対し着脱可能に連結され、
前記周壁において折畳み状態では、各折畳み側板の各区画板部を各折曲部で折り曲げて、底板上で各折畳み側板の各区画板部を互いに上下方向へ重ねた
ことを特徴とする折畳み容器。
【請求項２】
高分子材料またはダンボールにより成形された底板の外周に設けた周壁において展開状態では、複数の折畳み側板と複数の支持側板とを周方向へ交互に並設してその並設状態を固定部材により保持し、この各折畳み側板は、ダンボールにより成形され、上下方向へ並設した複数の区画板部のうち、上下方向で互いに隣接する上下両区画板部間に中間折曲部を有するとともに、最下区画板部の下縁部と最上区画板部の上縁部とにそれぞれ端折曲部を有し、その端折曲部で底板及び固定部材に対し着脱可能に連結され、
前記周壁において折畳み状態では、各折畳み側板の各区画板部を各折曲部で折り曲げて、底板上で各折畳み側板の各区画板部を互いに上下方向へ重ねるとともに、高分子材料またはダンボールにより成形された各支持側板をこの各折畳み側板上で上下方向へ重ねた
ことを特徴とする折畳み容器。
【請求項３】
高分子材料またはダンボールにより成形された底板と高分子材料またはダンボールにより成形された上枠との間でそれらの外周に設けた周壁において展開状態では、複数の折畳み側板と複数の支持側板とを周方向へ交互に並設し、この各折畳み側板は、ダンボールにより成形され、上下方向へ並設した複数の区画板部のうち、上下方向で互いに隣接する上下両区画板部間に中間折曲部を有するとともに、上枠に対し上下方向で互いに隣接する最上区画板部の上縁部と、底板に対し上下方向で互いに隣接する最下区画板部の下縁部とにそれぞれ端折曲部を有し、その最下区画板部の下縁部を底板に対し着脱可能に連結するとともに、その最上区画板部の上縁部を上枠に対し着脱可能に連結し、高分子材料またはダンボールにより成形された各支持側板の上下両縁部のうち、上枠に対し上下方向で互いに隣接する上縁部を回動可能に支持するとともに、底板に対し上下方向で互いに隣接する下縁部をその底板に支持し、
前記周壁において折畳み状態では、各支持側板を上枠に対し回動させて上枠の内側に折り畳んだ状態で、各折畳み側板の各区画板部のうち、互いに隣接する上下両区画板部を中間折曲部で折り曲げ、最下区画板部を底板に対し端折曲部で折り曲げるとともに、最上区画板部を上枠に対し端折曲部で折り曲げて、底板上で各折畳み側板の各区画板部を互いに上下方向へ重ねるとともに、この各折畳み側板上で上枠及び各支持側板を上下方向へ重ねた
ことを特徴とする折畳み容器。
【請求項４】
前記ダンボールは紙ダンボールであることを特徴とする請求項１または請求項２または請求項３に記載の折畳み容器。
【請求項５】
前記ダンボールはプラスチックダンボールであることを特徴とする請求項１または請求項２または請求項３に記載の折畳み容器。
【発明の詳細な説明】
【技術分野】
【０００１】
本発明はダンボールを利用した折畳み容器に関するものである。
【背景技術】
【０００２】
従来、紙ダンボールは安価でリサイクル可能であるために広く使用されている。そのような紙ダンボールを利用した折畳み容器においては、六面体を形成するように打ち抜いた平坦な紙ダンボールを組み付けてホッチキスやテープ等により固定することにより、立体的な展開状態と平坦な折畳み状態とを取り得るようにしていた。
【発明の開示】
【発明が解決しようとする課題】
【０００３】
このような折畳み容器では、紙ダンボールを再使用する際、紙ダンボールを破損しないようにホッチキスやテープ等を取り除く作業を必要とし、その作業が面倒であった。
この発明は、ダンボールを利用した折畳み容器において、ダンボールを再使用し易くする折り畳み構造を提供することを目的としている。
【課題を解決するための手段】
【０００４】
後記実施形態の図面（図１（ａ）（ｂ）、図２（ａ）（ｂ）、図３（ａ）、図４（ａ）（ｂ）及び図５（ａ）（ｂ）に示す第１実施形態、図３（ｂ）（ｃ）に示す第２実施形態）の符号を援用して本発明を説明する。
【０００５】
請求項１の発明にかかる折畳み容器は、第１〜２実施形態に対応し、下記のように構成されている。
高分子材料またはダンボールにより成形された底板１の外周に設けた周壁３において展開状態Ｐでは、複数の側板５，６，７，８を周方向へ並設してその並設状態を固定部材２により保持し、この各側板５，６，７，８のうち一部または全部の側板を構成する折畳み側板７，８は、ダンボールにより成形され、上下方向Ｚへ並設した複数の区画板部１０，１１のうち、上下方向Ｚで互いに隣接する上下両区画板部１０，１１間に中間折曲部１２を有するとともに、最上区画板部１０の上縁部１０ｅと最下区画板部１１の下縁部１１ｆとにそれぞれ端折曲部１３，１５を有し、その端折曲部１３，１５で底板１及び固定部材２に対し着脱式止め部材１４，１６により着脱可能に連結されている。前記周壁３において折畳み状態Ｑでは、各折畳み側板７，８の各区画板部１０，１１を各折曲部１２，１３，１５で折り曲げて、底板１上で各折畳み側板７，８の各区画板部１０，１１を互いに上下方向Ｚへ重ねている。
【０００６】
請求項２の発明にかかる折畳み容器は、第１〜２実施形態に対応し、下記のように構成されている。
高分子材料またはダンボールにより成形された底板１の外周に設けた周壁３において展開状態Ｐでは、複数の折畳み側板７，８と複数の支持側板５，６とを周方向へ交互に並設してその並設状態を固定部材２により保持し、この各折畳み側板７，８は、ダンボールにより成形され、上下方向Ｚへ並設した複数の区画板部１０，１１のうち、上下方向Ｚで互いに隣接する上下両区画板部１０，１１間に中間折曲部１２を有するとともに、最上区画板部１０の上縁部１０ｅと最下区画板部１１の下縁部１１ｆとにそれぞれ端折曲部１３，１５を有し、その端折曲部１３，１５で底板１及び固定部材２に対し着脱式止め部材１４，１６により着脱可能に連結されている。前記周壁３において折畳み状態Ｑでは、各折畳み側板７，８の各区画板部１０，１１を各折曲部１２，１３，１５で折り曲げて、底板１上で各折畳み側板７，８の各区画板部１０，１１を互いに上下方向Ｚへ重ねるとともに、高分子材料またはダンボールにより成形された各支持側板５，６をこの各折畳み側板７，８上で上下方向Ｚへ重ねている。
【０００７】
請求項３の発明にかかる折畳み容器は、第１〜２実施形態に対応し、下記のように構成されている。
高分子材料またはダンボールにより成形された底板１と高分子材料またはダンボールにより成形された上枠２との間でそれらの外周に設けた周壁３において展開状態Ｐでは、複数の折畳み側板７，８と複数の支持側板５，６とを周方向へ交互に並設し、この各折畳み側板７，８は、ダンボールにより成形され、上下方向Ｚへ並設した複数の区画板部１０，１１のうち、上下方向Ｚで互いに隣接する上下両区画板部１０，１１間に中間折曲部１２を有するとともに、上枠２に対し上下方向Ｚで互いに隣接する最上区画板部１０の上縁部１０ｅと、底板１に対し上下方向Ｚで互いに隣接する最下区画板部１１の下縁部１１ｆとにそれぞれ端折曲部１３，１５を有している。その最下区画板部１１の下縁部１１ｆを底板１に対し着脱式止め部材１４，１６により着脱可能に連結するとともに、その最上区画板部１０の上縁部１０ｅを上枠２に対し着脱式止め部材１４，１６により着脱可能に連結し、高分子材料またはダンボールにより成形された各支持側板５，６の上下両縁部５ｅ，５ｆ，６ｅ，６ｆのうち、上枠２に対し上下方向Ｚで互いに隣接する上縁部５ｅ，６ｅを回動可能に支持するとともに、底板１に対し上下方向Ｚで互いに隣接する下縁部５ｆ，６ｆをその底板１に支持している。前記周壁３において折畳み状態Ｑでは、各支持側板５，６を上枠２に対し回動させて上枠２の内側に折り畳んだ状態で、各折畳み側板７，８の各区画板部１０，１１のうち、互いに隣接する上下両区画板部１０，１１を中間折曲部１２，１３，１５で折り曲げ、最下区画板部１１を底板１に対し端折曲部１５で折り曲げるとともに、最上区画板部１０を上枠２に対し端折曲部１３で折り曲げて、底板１上で各折畳み側板７，８の各区画板部１０，１１を互いに上下方向Ｚへ重ねるとともに、この各折畳み側板７，８上で上枠２及び各支持側板５，６を上下方向Ｚへ重ねている。
【０００８】
請求項１または請求項２または請求項３の発明を前提とする請求項４の発明において、前記ダンボールは紙ダンボールである。
請求項１または請求項２または請求項３の発明を前提とする請求項５の発明において、前記ダンボールはプラスチックダンボールである。
【０００９】
次に、請求項以外の技術的思想について実施形態の図面の符号を援用して説明する。
請求項３の発明を前提とする第６の発明（第１〜２実施形態に対応）では、周壁３の展開状態Ｐにおいて周方向で互いに隣接する折畳み側板７，８と支持側板５，６とのうち、一方には位置決め凸部１８を設けるとともに、他方にはこの位置決め凸部１８が嵌合される位置決め凹部１９を設け、この位置決め凸部１８と位置決め凹部１９とは前記周壁３の折畳み状態Ｑで互いに分離される。従って、底板１と上枠２との間で保持された支持側板５，６に対し折畳み側板７，８を位置決めして周壁３の剛性を高めることができる。
【発明の効果】
【００１０】
本発明は、紙ダンボールやプラスチックダンボールなどのダンボールを利用した折畳み容器において、ダンボールにより成形された各折畳み側板７，８が底板１や固定部材２（上枠）に対し着脱式止め部材１４，１６により着脱可能に連結されているので、折畳み容器の周壁３で各折畳み側板７，８の着脱が行い易くなり、ダンボールの再使用や各折畳み側板７，８の交換が容易になる。
【発明を実施するための最良の形態】
【００１１】
まず、本発明の第１実施形態にかかる折畳み容器について図１（ａ）（ｂ）、図２（ａ）（ｂ）、図３（ａ）、図４（ａ）（ｂ）及び図５（ａ）（ｂ）を参照して説明する。
図１（ａ）、図２（ａ）（ｂ）及び図３（ａ）に示す折畳み容器の展開状態Ｐにおいて、底板１と上枠２（固定部材）との間でそれらの外周に周壁３が設けられている。この底板１は、後記高分子材料またはダンボールにより成形され、外周に前縁部１ａと後縁部１ｂと左縁部１ｃと右縁部１ｄとを有している。この上枠２は、後記高分子材料またはダンボールにより成形され、外周に前枠部２ａと後枠部２ｂと左枠部２ｃと右枠部２ｄとを有している。この上枠２において、前枠部２ａと後枠部２ｂと左枠部２ｃと右枠部２ｄとの間には底板１に対し上下方向Ｚで相対向する開口４が設けられている。
【００１２】
前記周壁３は、底板１の前縁部１ａと上枠２の前枠部２ａとの間に配設された前側支持側板５と、底板１の後縁部１ｂと上枠２の後枠部２ｂとの間に配設された後側支持側板６と、底板１の左縁部１ｃと上枠２の左枠部２ｃとの間に配設された左側折畳み側板７と、底板１の右縁部１ｄと上枠２の右枠部２ｄとの間に配設された右側折畳み側板８とからなる。この前側支持側板５と後側支持側板６とが前後方向Ｘで相対向するとともに、この左側折畳み側板７と右側折畳み側板８とが左右方向Ｙで相対向し、その各支持側板５，６と各折畳み側板７，８とが周方向へ交互に並設されている。
【００１３】
前記前後両支持側板５，６は、それぞれ、後記高分子材料またはダンボ−ルにより成形され、左縁部５ｃ，６ｃと右縁部５ｄ，６ｄと上縁部５ｅ，６ｅと下縁部５ｆ，６ｆとを有している。この前側支持側板５の上縁部５ｅは上枠２の前枠部２ａに対し左右方向Ｙへ延びる支軸９により回動可能に支持されているとともに、この前側支持側板５の下縁部５ｆは底板１の前縁部１ａ上に載置されて支持されている。この後側支持側板６の上縁部６ｅは上枠２の後枠部２ｂに対し左右方向Ｙへ延びる支軸９により回動中心線９ａを中心に回動可能に支持されているとともに、この後側支持側板６の下縁部６ｆは底板１の後縁部１ｂ上に載置されて支持されている。
【００１４】
前記左右両折畳み側板７，８は、後記ダンボールにより成形され、最上区画板部としての上側区画板部１０と最下区画板部としての下側区画板部１１とそれらの区画板部１０，１１間の中間折曲部１２とからなる。この上下両区画板部１０，１１は、それぞれ、前縁部１０ａ，１１ａと後縁部１０ｂ，１１ｂと上縁部１０ｅ，１１ｅと下縁部１０ｆ，１１ｆとを有している。この左右両折畳み側板７，８の上側区画板部１０の上縁部１０ｅは、端折曲部１３を有し、その端折曲部１３で上枠２の左右両枠部２ｃ，２ｄの壁１４ａの内側に当てがわれ、この端折曲部１３と壁１４ａとに挿着された着脱式止め部材としての複数の止めピン１４により上枠２の左右両枠部２ｃ，２ｄに対し着脱可能に連結されている。この左右両折畳み側板７，８の下側区画板部１１の下縁部１１ｆは、端折曲部１５を有し、その端折曲部１５で底板１の左右両縁部１ｃ，１ｄの壁１６ａの内側に当てがわれ、この端折曲部１５と壁１６ａとに挿着された着脱式止め部材としての複数の止めピン１６により底板１の左右両縁部１ｃ，１ｄに対し着脱可能に連結されている。この左右両折畳み側板７，８の上下両区画板部１０，１１の前後両縁部１０ａ，１０ｂ，１１ａ，１１ｂは、前後両支持側板５，６の左右両縁部５ｃ，５ｄ，６ｃ，６ｄに当てがわれている。
【００１５】
前記底板１や上枠２や前後両支持側板５，６を成形する高分子材料の材質としては、ある程度の剛性を保つことができる各種樹脂を採用する。前記左右両折畳み側板７，８を成形するダンボ−ルとしては、紙ダンボ−ルやプラスチックダンボ−ルや金属ダンボ−ルを採用する。前記底板１や上枠２や前後両支持側板５，６の材質としては、プラスチックダンボ−ルや紙ダンボ−ルや金属ダンボ−ルでもよい。前後両支持側板５，６としてダンボ−ルを採用する場合には、左右両折畳み側板７，８と同様に、前後両支持側板５，６の上縁部５ｅ，６ｅに折曲部を設けるとともに、その上縁部５ｅ，６ｅを上枠２の前後両枠部２ａ，２ｂに対し複数の止めピンにより着脱可能に連結する。
【００１６】
さて、図１（ｂ）に示すように、前記折畳み容器の展開状態Ｐにおいて、前後両支持側板５，６を上枠２の前後両枠部２ａ，２ｂに対し支軸９を中心に回動させて上枠２の内側に折り畳むと、前後両支持側板５，６が上枠２の開口４内に嵌め込まれてその開口４を閉塞し、この前後両支持側板５，６の下縁部５ｆ，６ｆが前後方向Ｘで相対向するとともに、この前後両支持側板５，６の左右両縁部５ｃ，５ｄ，６ｃ，６ｄが上枠２の左右両枠部２ｃ，２ｄに当てがわれる。
【００１７】
さらに、図４（ａ）に示すように、左右両折畳み側板７，８において、上下両区画板部１０，１１間の中間折曲部１２を上枠２の内側に折り曲げ、上側区画板部１０を上枠２の左右両枠部２ｃ，２ｄに対し端折曲部１３で折り曲げて上枠２の内側に折り畳むとともに、下側区画板部１１を底板１の左右両縁部１ｃ，１ｄに対し端折曲部１５で折り曲げて底板１の内側に折り畳むと、図４（ｂ）及び図５（ａ）（ｂ）に示すように、折畳み容器が折畳み状態Ｑとなる。この折畳み状態Ｑでは、底板１上で左右両折畳み側板７，８の上下両区画板部１０，１１が互いに折り畳まれて上下方向Ｚへ重ねられるとともに、この左右両折畳み側板７，８の上側区画板部１０上で上枠２及び前後両支持側板５，６が上下方向Ｚへ重ねられ、この底板１の各縁部１ａ，１ｂ，１ｃ，１ｄ上に上枠２の各枠部２ａ，２ｂ，２ｃ，２ｄが重なってこの底板１と上枠２とで囲まれる室２０に左右両折畳み側板７，８及び前後両支持側板５，６が収容される。
【００１８】
一方、このような折り畳み動作とは逆の展開動作を行えば、折畳み容器を折畳み状態Ｑから展開状態Ｐにすることができる。
ちなみに、左右両折畳み側板７，８については、各止めピン１４，１６を着脱または折損することにより、上枠２や底板１に対し着脱することができる。
【００１９】
図３（ｂ）（ｃ）に示す第２実施形態においては、前記左右両折畳み側板７，８で上下両区画板部１０，１１の前後両縁部１０ａ，１０ｂ，１１ａ，１１ｂの内外両側に補強金具２３，２４が取着され、内側の補強金具２３には位置決め凹部１９が設けられているとともに、前後両支持側板５，６の左右両縁部５ｃ，５ｄ，６ｃ，６ｄにはこの位置決め凹部１９に嵌合される位置決め凸部１８が設けられている。
【００２０】
本実施形態は下記の効果を有する。
＊  ダンボールにより成形された各折畳み側板７，８を底板１や上枠２に対し着脱することができるので、ダンボールの再使用や各折畳み側板７，８の交換を容易に行うことができる。
【００２１】
＊  周壁３の各折畳み側板７，８において、上下両区画板部１０，１１の中間折曲部１２及び上下両端折曲部１３，１５を折り曲げるだけの簡単な折畳み構造にすることができる。
【００２２】
前記各実施形態以外にも下記のように構成してもよい。
・  前記各実施形態において、左右両折畳み側板７，８の上側区画板部１０の上縁部１０ｅを上枠２の左右両枠部２ｃ，２ｄに対し着脱可能に支持する構造や、左右両折畳み側板７，８の下側区画板部１１の下縁部１０ｆを底板１の左右両縁部１ｃ，１ｄに対し着脱可能に支持する構造については、着脱式止め部材としての止めピン１４，１６に代えて、ボルト及びナットや着脱式バインダーなどを利用することができる。
【００２３】
・  前記各実施形態において、左右両折畳み側板７，８で、最上区画板部１０と最下区画板部１１との間に一以上の区画板部を中間折曲部１２を介して上下方向Ｚへ並設する。
・  前記各実施形態において、上枠２の開口４を閉塞して蓋体とする。その場合には蓋体の外周縁部が上枠２に該当する。
【００２４】
・  前記各実施形態において、上枠２を省略し、前後両支持側板５，６の下縁部５ｆ，６ｆを底板１に対し回動可能に支持するとともに、その前後両支持側板５，６に対し左右両折畳み側板７，８を固定部材により連結する。
【００２５】
・  前記各実施形態において、上枠２を省略するとともに、前後両支持側板５，６に代えて左右両折畳み側板７，８と同様な前後両折畳み側板７，８を設け、これらの折畳み側板７，８を周方向へ並設して互いに隣接する両折畳み側板７，８間を固定部材により連結する。
【図面の簡単な説明】
【００２６】
【図１】（ａ）は本実施形態にかかる折畳み容器において展開状態を示す斜視図であり、（ｂ）は同じく折畳み途中状態を示す斜視図である。
【図２】（ａ）は図１（ａ）を側面側から見た縦断面図であり、（ｂ）は図１（ａ）を正面側から見た縦断面図である。
【図３】（ａ）は図１（ａ）を平面側から見た横断面図であり、（ｂ）は（ａ）に相当する第２実施形態を示す横断面図であり、（ｃ）は（ｂ）の部分拡大図である。
【図４】（ａ）は本実施形態にかかる折畳み容器において折畳み途中状態を示す斜視図であり、（ｂ）は同じく折畳み状態を示す斜視図である。
【図５】（ａ）は図４（ｂ）を側面側から見た縦断面図であり、（ｂ）は図４（ｂ）を正面側から見た縦断面図である。
【符号の説明】
【００２７】
１…底板、２…固定部材としての上枠、３…周壁、５，６…支持側板、５ｅ，６ｅ…上縁部、５ｆ，６ｆ…下縁部、７，８…折畳み側板、１０，１１…区画板部、１０ｅ…上縁部、１１ｆ…下縁部、１２…中間折曲部、１３…端折曲部、１５…端折曲部、Ｐ…展開状態、Ｑ…折畳み状態。
【図１】
2008155983.tif 000003
【図２】
2008155983.tif 000004
【図３】
2008155983.tif 000005
【図４】
2008155983.tif 000006
【図５】
2008155983.tif 000007